(57)【特許請求の範囲】
【請求項１】
水受け容器1を、本体ケースの底部に着脱自在とした食器乾燥器において、
平面視長方形の箱形形状の水受け容器1の内部を、第１室Ａと第2室Ｂとに区分し且つ第2室Ｂの容積を第１室Ａの容積の数倍とし、第１室Ａによりホース接続口２を突出させて、第１室Ａをホース接続方式用とし、第2室Ｂをタンク方式用として、水受け容器１を構成し、
水受け容器1を格納するに適合する直方体形状とした収容ポケット８を、本体ケースの底部に形成し、
水受け容器1の格納方向の前後変更により、ホース接続方式用とタンク方式用とを選択自在としたことを特徴とする、排水処理方式を選択自在とする食器乾燥器
【発明の詳細な説明】
【技術分野】
【０００１】
本願発明は、食器乾燥器の排水を処理するための、排水処理方式を選択自在とする食器乾燥器に関するものである。
【背景技術】
【０００２】
この種の水受け装置は、図１６および図１７を参照して、食器ケース３内の水切りかご４の下方に水受け板５を設け、該水受け板５の集水孔６より落下する排水を、本体ケースに着脱自在とした水受け容器1Ａに貯水する構成である。
【０００３】
【特許文献１】特開２０００−２３８９６号
【発明の開示】
【発明が解決しようとする課題】
【０００４】
公知の食器乾燥器は、図１７に示すタンク方式と、ホース接続方式(図示省略)が存在する。消費者は、前記の二種の排水処理方式を選択して購入している。
【０００５】
食器乾燥器について、前記の二種の排水処理方式につき、消費者は購入後において使用箇所の排水処理条件に対応すべく、他の方式に変更することが所望する場合がある。
また、工場出荷時、販売店において、二種の在庫を必要とする問題点がある。
【０００６】
よって、本願発明は、水受け容器について、タンク方式とホース接続方式とを選択自在とする食器乾燥器を提供することを課題とする。
【課題を解決するための手段】
【０００７】
本願第１発明は、水受け容器1を、本体ケースの底部に着脱自在とした食器乾燥器において、平面視長方形の箱形形状の水受け容器1の内部を、第１室Ａと第2室Ｂとに区分し且つ第2室Ｂの容積を第１室Ａの容積の数倍とし、第１室Ａによりホース接続口２を突出させて、第１室Ａをホース接続方式用とし、第2室Ｂをタンク方式用として、水受け容器１を構成し、
水受け容器1を格納するに適合する直方体形状とした収容ポケット８を、本体ケースの底部に形成し、水受け容器1の格納方向の前後変更により、ホース接続方式用とタンク方式用とを選択自在としたことを特徴とする排水処理方式を選択自在とする食器乾燥器を提供する。
【発明の効果】
【０００９】
本願発明は、本体ケースの底部の水受け容器ポケットに挿入するにあたり、水受け容器を、その前後方向を逆にすることにより、排水処理方式を、タンク方式とホース接続方式とを適宜選択自在とする。
したがって、消費者は食器乾燥器の排水処理方式を、タンク方式とホース接続方式とを適宜選択することで、設置場所の排水条件に対応することができる。
工場出荷時、販売店においては、排水処理方式について、二種の在庫を必要とすることなく、タンク方式とホース接続方式の二種の製品を、単一機種在庫で対応することができる。
【発明を実施するための最良の形態】
【００１０】
本願発明の実施例を、図１ないし図１５を参照して詳細に説明する。
本願発明の要部である水受け容器１を、図１ないし図７を参照して説明する。
【００１１】
水受け容器１は、枠壁10Ａと底面１０Ｂとにより平面視長方形の箱形形状の水受けケース１０を形成し、該水受けケース１０の内部を、Ｌ型隔壁１１によって区分して、第１室Ａと第2室Ｂとに区分し、第１室Ａによりホース接続口２を突出させて、第１室Ａをホース接続方式用とし、第2室Ｂをタンク方式用として、二種の排水処理方式を構成している。
【００１２】
実施例において、第１室Ａは、水受け容器1の平面視において、長手方向に１／３ないし１／５であり、幅方向に１／２であり、その残余が第2室Ｂとなっている。
【００１３】
水受け容器1の底面は、前方の第１底面１２ａおよび後方の第２底面１２ｂは、中央部の第３底面１３よりも高く位置し、第１底面１２ａは第２垂直面１４を介して、第２底面１２ｂは第２垂直面１５を介して、第３底面１３とそれぞれ連続している。第１室Ａに位置して、タンク方式とするための、ホース接続口２が第１垂直面１４より突出している。
【００１４】
第１底面１２ａ、第２底面１２ｂには、水受け容器1の引出操作用の取手１６が突出している。
【００１５】
本体ケース７の裏面７Ａにおける、水受け板５の集水孔６より落下する排水を収容する位置に、収容ポケット８を設ける。
【００１６】
収容ポケット８は、水受け容器1を格納するに適合する直方体形状とし、収容ポケット８に水受け容器1をセットするための左右一対のガイドレール９Ａと横断杆9Ｂを本体ケース７の裏面７Ａより、収容ポケット８に向けて突設する。
【００１７】
実施例においては、図１１および図１２を参照して、本体ケース７の裏面７Ａの収容ポケット８内に突出する位置に、左右一対のガイドレール９Ａと横断杆9Ｂを本体ケース７の裏面７Ａと一体化して形成することにより、収容ポケット８に水受け容器1を前後動自在に支持する。
【００１８】
図１３は、タンク方式とする使用態様を示し、第１室Ａを水受け板５の集水孔6の下方に位置させた状態にセットする。
【００１９】
図１４は、ホース排水方式とする使用態様を示し、第２室Ｂを水受け板５の集水孔6の下方に位置させた状態にセットする。ホース接続口２にホース１７を接続して適宜の箇所へ排水する。
【産業上の利用可能性】
【００２０】
本願発明は、消費者は食器乾燥器の排水処理方式を、タンク方式とホース接続方式とを適宜選択することで、設置場所の排水条件に対応することができることで、食器乾燥器の利用を促進するとともに、工場出荷時、販売店においては、排水処理方式について、単一機種で二種の排水処理方式に対応することができることで、食器乾燥器の製造・販売を促進することにより、産業の発展に貢献するものである。
【図面の簡単な説明】
【００２１】
【図１】本願発明の食器乾燥器における水受け容器の斜視図。
【図２】同じく、平面図。
【図３】同じく、正面図。
【図４】同じく、左側面図。
【図５】同じく、右側面図。
【図６】図２のＳ１−Ｓ１線による断面図。
【図７】図２のＳ２−Ｓ２線による断面図。
【図８】食器乾燥器の底面図。
【図９】同じく、縦断面図。
【図１０】収容ポケットの、底面側の斜視図。
【図１１】同じく、縦断面図。
【図１２】同じく、平面図。
【図１３】排水処理を示す略図で、タンク方式を示す。
【図１４】同じく、排水処理を示す略図で、ホース接続方式を示す。
【図１５】食器乾燥器の斜視図。
【図１６】同じく、食器乾燥器におけるタンク方式排水処理構造を示す略図。
【図１７】同じく、排水処理を示す略図。
【符号の説明】
【００２２】
Ａ    第１室
Ｂ    第２室
１    水受け容器
２    ホース接続口
７    本体ケース
８    収容ポケット
【図１】
0004954829.tif 000002
【図２】
0004954829.tif 000003
【図３】
0004954829.tif 000004
【図４】
0004954829.tif 000005
【図５】
0004954829.tif 000006
【図６】
0004954829.tif 000007
【図７】
0004954829.tif 000008
【図８】
0004954829.tif 000009
【図９】
0004954829.tif 000010
【図１０】
0004954829.tif 000011
【図１１】
0004954829.tif 000012
【図１２】
0004954829.tif 000013
【図１３】
0004954829.tif 000014
【図１４】
0004954829.tif 000015
【図１５】
0004954829.tif 000016
【図１６】
0004954829.tif 000017
【図１７】
0004954829.tif 000018